(57)【特許請求の範囲】
【請求項１】
複数の単位記録情報が記録されているテープ状記録媒体と、
上記テープ状記録媒体を高速走行させて上記テープ状記録媒体に記録されている単位記録情報と単位記録情報との間の無録音部を検出する曲間検出操作モードで上記無録音部を検出する曲間検出手段と、
上記テープ状記録媒体に記録された複数の単位記録情報中の任意の単位記録情報数を指定する単位記録情報指定手段と、
上記曲間検出手段により無録音部が検出される毎に上記単位記録情報指定手段により指定された単位記録情報数を１ずつ減算するとともに報知信号発生部から第１の報知信号を発生させ、上記単位記録情報指定手段により指定された単位記録情報数と比較する曲間計数手段と、
上記単位記録情報指定手段により指定された単位記録情報数と上記曲間計数手段により計数される単位記録情報数とを比較し、この比較出力に応じた第２の報知信号を発生させる報知信号発生手段とを備えてなるテープレコーダ。
【発明の詳細な説明】
【０００１】
【産業上の利用分野】
本発明は、複数の単位記録情報である例えば１曲の音楽情報が複数記録されたテープ状記録媒体を高速走行させた状態で、単位記録情報の間に設けられた無録音部である曲間を検出して、指定した任意の単位記録情報から再生を行うようにしたテープレコーダに関し、特に指定した任意の単位記録情報が記録された部分が検出されることを報知するようにしたものに関する。
【０００２】
【従来の技術】
従来、複数曲の音楽情報が記録された磁気テープを高速走行させた状態で、この磁気テープに記録された各音楽情報間に設けられた無録音部を検出し、指定した任意の単位記録情報を自動的に再生するようにしたテープレコーダが用いられている。
【０００３】
このテープレコーダは、磁気テープに記録された複数の単位記録情報である例えば複数の単位音楽情報から任意の位置に記録された単位音楽情報を指定し、磁気ヘッドを接触若しくは近接させた状態で磁気テープを高速走行させ、磁気ヘッドからの再生出力信号を検出して、磁気テープに記録された各音楽情報間に設けられた無録音部を検出する。この検出される無録音部の数と、指定された単位音楽情報との数を比較し、これら数が一致したところでテープレコーダを磁気テープが定速走行される再生操作モードとなし、指定された単位音楽情報の再生を開始するようにしている。
【０００４】
【発明が解決しようとする課題】
ところで、従来用いられているこの種のテープレコーダは、指定された単位音楽情報に対応する無録音部が検出されたとき、その旨の報知もなく指定された単位音楽情報の再生が行われる。そのため、テープレコーダを使用する者にとっては、突然音楽情報の再生が行われてしまうような状態となる。
【０００５】
そこで、本発明は、テープ状記録媒体を高速で走行させた状態で、テープ状記録媒体に複数記録された単位記録情報から任意の指定した単位記録情報を検出してこの指定した単位記録情報を再生する場合に、指定した単位記録情報が検出されることを予め使用者に報知することによって、再生される指定した単位記録情報の聞き逃しを防止し、指定した単位記録情報を最初から確実に聴取等を可能となすテープレコーダを提供することを目的に提案されたものである。
【０００６】
【課題を解決するための手段】
本発明に係るテープレコーダは、上述のような目的を達成するため、複数の単位記録情報が記録されているテープ状記録媒体と、上記テープ状記録媒体を高速走行させて上記テープ状記録媒体に記録されている単位記録情報と単位記録情報との間の無録音部を検出する曲間検出操作モードで上記無録音部を検出する曲間検出手段と、上記テープ状記録媒体に記録された複数の単位記録情報中の任意の単位記録情報数を指定する単位記録情報指定手段と、上記曲間検出手段により無録音部が検出される毎に上記単位記録情報指定手段により指定された単位記録情報数を１ずつ減算するとともに報知信号発生部から第１の報知信号を発生させ、上記単位記録情報指定手段により指定された単位記録情報数と比較する曲間計数手段と、上記単位記録情報指定手段により指定された単位記録情報数と上記曲間計数手段により計数される単位記録情報数とを比較し、この比較出力に応じた第２の報知信号を発生させる報知信号発生手段とを備える。
【０００７】
【作用】
本発明に係るテープレコーダは、テープ状記録媒体を高速走行させ、テープ状記録媒体に記録されている単位記録情報と単位記録情報との間の無録音部を曲間検出手段により検出する。そして、無録音部が検出される毎に単位記録情報指定手段により指定された単位記録情報数を１ずつ減算するとともに、報知信号発生部から第１の報知信号を発生させ、単位記録情報指定手段により指定された単位記録情報数と曲間計数手段により計数される単位記録情報数とを比較し、この比較出力に応じた第２の報知信号を発生させる。
【０００８】
【実施例】
本発明に係るテープレコーダの具体的な実施例を図面を参照して説明する。
本発明に係るテープレコーダは、図１に示すように、単位記録情報として例えば１曲の音楽情報が複数記録されたテープ状記録媒体としての磁気テープ１を備えている。この磁気テープ１は、一対のテープリール間に亘って巻装され、これらテープリールの正転方向及び逆転方向の双方向に走行操作される。
【０００９】
ここで用いられる磁気テープ１には、図２に示すように、単位記録情報としての１曲の音楽情報を記録された複数の情報記録部Ｍ１  ，Ｍ２  ，Ｍ３  ・・・が長手方向に順次記録され、これら情報記録部Ｍ１  ，Ｍ２  ，Ｍ３  ・・・間に位置して音楽除法の記録が行われていないそれぞれ無録音部Ｑ１  ，Ｑ２  ・・・が設けられている。
【００１０】
このテープレコーダは、磁気テープ１が正転方向又は逆転方向に高速で走行操作された状態で、磁気テープ１に接触してこの磁気テープ１に記録された情報信号を検出する磁気ヘッド２を備えている。磁気ヘッド２には、この磁気ヘッド２により検出された検出信号を一定の振幅に増幅する増幅器３が接続されている。この増幅器３により増幅された磁気ヘッド２からの検出信号は、曲間検出部４に入力される。
【００１１】
また、このテープレコーダには、磁気テープ１を高速で走行させ、この磁気テープ１に１曲の音楽情報が記録された情報記録部Ｍ１  ，Ｍ２  ，Ｍ３  ・・・中から任意のものを選択し、この選択された情報記録部Ｍｎ  に記録された音楽情報を自動的に再生するようにする自動選曲操作モードを選択する自動選曲操作モード選択釦６が設けられている。この自動選曲操作モード選択釦６は、複数の情報記録部Ｍ１  ，Ｍ２  ，Ｍ３  ・・・中から任意のものを指定する単位記録情報指定釦７とともに操作モード選択部５中に設けられている。
【００１２】
ところで、曲間検出部４は、自動選曲操作モード選択釦６が操作され、このテープレコーダが自動選曲操作モードとなされたとき、磁気ヘッド２により検出された検出信号から無録音部Ｑ１  ，Ｑ２  ・・・の検出を行うものである。
【００１３】
さらに、このテープレコーダには、自動選曲操作モードの動作を制御する制御部８が設けられている。この制御部８は、単位記録情報指定釦７により指定された現在再生され、若しくは磁気ヘッド２に対応する位置にある情報記録部Ｍからの曲数が入力されるとともに、曲間検出部４により検出される無録音部Ｑの検出信号が入力される曲間計数部９が設けられている。この曲間計数部９は、曲間検出部４により無録音部Ｑが検出される毎に単位記録情報指定釦７により指定された単位記録情報数を１ずつ減算するとともに、単位記録情報指定釦７により指定された単位記録情報数と比較する。
【００１４】
また、制御部８には、単位記録情報指定釦７により指定された単位記録情報数と曲間計数部９により計数される単位記録情報数とを比較し、この比較出力に応じた報知信号を発生させる報知信号発生部１０が設けられている。この報知信号発生部１０から発生する報知信号は、例えば報知音を１回又は繰り返し数回発生させるものである。そして、報知信号発生部１０により発生する報知信号は、出力端子１２を介して図示しない音響再生部に出力される。
【００１５】
さらに、制御部８には、単位記録情報指定釦７により指定された単位記録情報数に対応する情報記録部Ｍｎ  に対応する無録音部Ｑｎ  が検出されたときに、磁気テープ１の走行操作を行う駆動モータを制御して磁気テープ１を高速走行状態から定速走行状態に制御するテープ駆動制御部１１が設けられている。
【００１６】
次に、本発明に係るテープレコーダによって、磁気テープ１に記録された各音楽情報中から任意の音楽情報を選択して再生する自動選曲操作モードの動作を、図３に示すフローチャートを用いて説明する。
【００１７】
まず、自動選曲操作モード選択釦６を操作し、このテープレコーダを自動選曲操作モードとなす。この自動選曲操作モードにより、磁気テープ１は、磁気ヘッド２に接触された状態で高速走行させられる。
【００１８】
次に、単位記録情報指定釦７により磁気テープ１の複数の情報記録部Ｍ１  ，Ｍ２  ，Ｍ３  ・・・に記録された音楽情報中から１以上任意の数が選択されているか否かを判別する。
【００１９】
そして、単位記録情報指定釦７により指定された音楽情報の数が１か否かを判別する。指定された音楽情報の数が２以上である場合には、曲間検出部４からの無録音部Ｑの検出がされたか否かを検出し、単位記録情報指定釦７により指定された単位記録情報数を１ずつ減算する。
【００２０】
次に、報知信号発生部１０から、第１の報知信号を発生させ、例えば「ピー」の音を鳴らす。
【００２１】
そして、磁気テープ１の高速走行操作を続け、曲間計数部９で減算された単位記録情報数が１になるまで上述の操作を繰り返し、第１の報知信号を発生させる。
【００２２】
そして、曲間計数部９で減算された単位記録情報数が１になると、第２の報知信号を発生させ、例えば「ピー・ピー・ピー」の連続音を発生させる。次に、曲間検出部４が無録音部Ｑｎ  を検出すると、磁気テープ１の走行操作を行う駆動モータを制御して磁気テープ１を高速走行状態から定速走行状態となし、上記無録音部Ｑｎ  に続く情報記録部Ｍｎ  に記録された音楽情報の再生を行う。
【００２３】
【発明の効果】
上述したように、本発明に係るテープレコーダは、テープ状記録媒体を高速走行させ、このテープ状記録媒体に記録された複数の単位記録情報中から任意の単位記録情報を指定して再生する自動選曲操作モードにおいて、単位記録情報指定手段により指定された単位記録情報数と曲間計数手段により計数される単位記録情報数とを比較し、指定された単位記録情報の記録位置にテープ状記録媒体の走行位置が近づいたときに、その旨の報知情報を音等で表示してなるので、容易に指定した単位記録情報の再生が始まることが認識できる。そして、指定した単位記録情報を聴取等する準備を整えることが可能となる。
【図面の簡単な説明】
【図１】本発明に係るテープレコーダの曲間検出操作モードを実行する主要部を示すブロック図である。
【図２】本発明に係るテープレコーダに用いられる磁気テープの音楽情報の記録状態を示す図である。
【図３】磁気テープに記録された各音楽情報を検出する操作状態を示すフローチャートである。
【符号の説明】
１  磁気テープ
２  磁気ヘッド
４  曲間検出部
６  自動選曲操作モード選択釦
７  単位記録情報指定釦
８  制御部
９  曲数計数部
１０  報知信号発生部
【図１】
0003550735.tif 000002
【図２】
0003550735.tif 000003
【図３】
0003550735.tif 000004